Podtech/llm-jp-corpus-v4-ja_patent huggingface dataset:
(57)【要約】【課題】  光ディスク記録面からのレーザー光乱反射の問題を光ピックアップ側で解決し、光ディスクの音質・画質を向上することを目的とする。【解決手段】  レーザー光乱反射によるノイズ信号を抑制するために、ディジタル音声・映像信号の記録再生に必要な最小限の径を有した有孔遮蔽板を、光ピックアップのケーシングに螺子止め又はケーシングと一体化することで解決した。【選択図】  図１
2005038563.tif 000002
【特許請求の範囲】
【請求項１】
光ディスク記録面からのレーザー光乱反射による不要なノイズ信号を抑制するため、対物レンズの外側に光を吸収する表面仕上げをした有孔遮蔽板を取りつけた、高音質、高画質を特徴とする光ピックアップ。
【発明の詳細な説明】
【発明の詳細な説明】
【技術分野】
【０００１】  この発明は、ＣＤ再生機、ＳＡＣＤ再生機、ＤＶＤオーディオ再生機、ＭＤ録音／再生機、ＣＤ−Ｒ／ＲＷ、ＤＶＤ再生機、ＤＶＤ−ＲＡＭ、ＤＶＤ−Ｒ／ＲＷに関する発明です。
【背景技術】
【０００２】  光ディスクは耐久性に優れているが、光ピックアップのセンサーがディスクの記録面に対して無接触であるがゆえに、光ディスク記録面からのレーザー光乱反射が、音質・画質に与える影響が取沙汰され、光ディスクのエッジ処理による改善方法が考案された。
【発明が解決しようとする課題】
【０００３】  この発明は光ディスク記録面から発生するレーザー光乱反射の問題を、光ピックアップ側で解決することを目的とする。
【課題を解決するための手段】
【０００４】  この発明の光ピックアップは、対物レンズの外側に、光ディスクからのレーザー光乱反射による不要なノイズ信号を抑制するため光を吸収する表面仕上げをした有孔遮蔽板を取りつけたことを特徴とする。
【発明を実施するための最良の形態】
【０００５】  以下、本発明の実施の形態について説明する。
（イ）．デジタル音声・映像信号の記録再生に必要な最小限の径に明けられた孔を有し、表面が光を吸収する仕上げをした有孔遮蔽板を、光ピックアップのケーシングに対物レンズの光軸を合わせて螺子を使用して取りつける。
（ロ）．有孔遮蔽板と光ピックアップのケーシングを一体化した型で作る。
【実施例】
【０００６】  図１で、１は有孔遮蔽板であり、２に示すように音声・映像信号の記録再生に必要最小限の径の孔を有し、光ディスクからの乱反射による不必要なノイズ信号を抑制する。
図２は、有孔遮蔽板を光ピックアップに実装した図であり、５のケーシングに螺子を使用して固定したものである。３は光ピックアップの本体であり４の対物レンズを有する。
図３、図４は遮蔽板をケーシングと一体化させたものである。
【発明の効果】
【０００７】  この発明の光ピックアップは光ディスクからの乱反射によるノイズ信号を、音声・映像の記録再生に必要な最小限の径に明けられた孔を有する遮蔽板によって抑制する効果があり、クリアな音質のＣＤ再生機、ＳＡＣＤ再生機、ＤＶＤオーディオ再生機、ＭＤ録音／再生機、ＣＤ−Ｒ／ＲＷ、クリアな音質・画質のＤＶＤ再生機、ＤＶＤ−ＲＡＭ、ＤＶＤ−Ｒ／ＲＷを製作することができる。又将来的には、青色レーザーを使用した光ピックアップにも応用可能である。
【図面の簡単な説明】
【０００８】
【図１】有孔遮蔽板を螺子で固定した光ピックアップを示した平面図
【図２】有孔遮蔽板を螺子で固定した光ピックアップを示した断面図
【図３】有孔遮蔽板とピックアップのケーシングとの一体化を示した平面図
【図４】有孔遮蔽板とピックアップのケーシングとの一体化を示した断面図
【符号の説明】
【０００９】１…有孔遮蔽板
２…孔
３…光ピックアップ本体
４…対物レンズ
５…光ピックアップケーシング
６…螺子
【図１】
2005038563.tif 000003
【図２】
2005038563.tif 000004
【図３】
2005038563.tif 000005
【図４】
2005038563.tif 000006
(57)【要約】【課題】インターネット上において新規法人設立時において個人間の出資及び、融資支援の信用が構築困難であることを課題とする。【解決手段】インターネット上においての新規法人設立時における個人間の支援が困難な状況を、正確な個人情報を基に、支援元よりインターネットホスト管理法人が資金支援を受けた後に法人設立要望側（支援先）の社債発行に対して資金支援を行うことで新規事業開発支援を可能とする。支援先の要望により株式転換社債による株式発行も可能とし、社債又は株式を所有するホスト管理法人より支援元の個人または法人に対し、権利移行することにより支援元の利益を支援する。出資又は融資を行った後に債権回収不能になった場合に支援元に対してホスト管理法人が債務としないことからホスト管理法人の営業認識通間の累計期間損失の発生を防止する。【選択図】図１
2005038359.tif 000002
【特許請求の範囲】
【請求項１】
インターネット上において新規事業を起業したいという要望を出した個人に対して支援元の個人より支援先の個人に対し、有価証券対流通通貨の交換が商法上許されていないことから発生する支援困難な状況を改善する。
【発明の詳細な説明】
【発明の詳細な説明】
【０００１】インターネット上で個人に対する融資や投資が商法上において有価証券の発行制限により認められていないことから融資や投資が実現していない現状である。これは商法上有価証券の発行が個人には認められていないことから個人が個人に対して投資又は融資などの資金支援要望時、法人設立時の社債による直接債権者及び、株式会社設立に第三者割当が困難であることを課題としている。この障害をインターネットホスト管理法人が介在することで有価証券の発行を可能にして手段を提供し、ホスト管理法人の債務としないことで営業認識通期の累計期間損失の発生を防止する。要望内容によりホスト管理法人を介した法人からの支援も可能とする。
【背景技術】
【０００１】個人から個人に対する有価証券の発行は現商法にて認められていないことから個人間における高額支援は事業計画の健全性を考慮した上であっても大変に困難であるというのが現状である。このことより新規事業に対する個人支援が大変に難しい状況であり、改善が困難な状況である。
【発明が解決しようとする課題】
【０００１】インターネット上でび個人が個人を相手に融資や投資を行いたいという要望を信用構築が難しいことにより実現が難しい。
【課題を解決する手段】
【０００１】インターネットホスト管理法人を介して支援を受ける側の個人の信用を補助し、必要金額を別の個人及び法人に公募した上で支援要望側提案による売却可能な物品を代価とする支援を考慮し、信用を基にした支援による支援先の個人に融資又は出資することより、この障害を緩和することが可能になり、新規事業開拓の支援手段を提供するものである。支援先の個人による法人発生時に支援先法人によるホスト管理法人向けの社債発行引受による資金支援後、支援先個人による正式法人登記後に債権を支援元に譲渡し、支援先個人による設立法人側の要望により株式であれば転換社債後に株式をホスト管理法人の権利より支援元（個人又は法人）の権利に移行することにより、支援元が法的な権利を得ることによる利益を基に活発化を促す。
【図面の簡単な説明】通常起業資金支援手順（上）及び、株式転換社債手順（下）とする。
【図１】
2005038359.tif 000003
(57)【要約】【課題】インターネット上において個人間の出資及び、融資支援の信用が構築困難であることを課題とする。【解決手段】インターネット上においての個人間の出資又は、融資が困難な状況を、正確な個人情報を基に実現し、支援元よりインターネットホスト管理法人が支援を受けた後に支援先に対して出資又は融資を可能とし、債権回収不可発生時に支援元に対してホスト管理法人が債務としないことからホスト管理法人の営業認識通期の累計期間損失を防止する。【選択図】図１
2005038358.tif 000002
【特許請求の範囲】
【請求項１】
インターネット上における個人間の融資及び投資において商法上の制約から融資及び投資が出来ないことを解決すると共に出資や融資に対する営業認識通期の累計期間損失が発生することを防止する。
【発明の詳細な説明】
【発明の詳細な説明】
【０００１】インターネット上で個人から個人に対する融資や投資が商法上において有価証券の発行制限により認められていないことから融資や投資が実現していない現状である。個人が個人に対して投資又は融資などの資金支援を行いたい時に直接債権者になれないことが障害でありインターネットホスト管理法人が介在することで融資又は出資を可能にし、利用者からホスト管理法人が資金支援を受けることでホスト管理法人の営業認識通期の累計期間損失の発生を防止する。
【背景技術】
【０００１】個人から個人に対する有価証券の発行は現商法にて認められていないことから個人間の金銭の高額出資は様々な事情を考慮した上であっても借用証を元にした公正証書を発行するのが限度である。この場合債権者が債務者から法的保護を受けることが困難であり、健全な支援要望でありながら個人が個人に対し事情等を考慮した出資や融資が非常に困難なものとなっている。
【発明が解決しようとする課題】
【０００１】インターネット上で個人間の信用構築が難しいことにより融資や投資を行いたいという要望の実現が難しい。
【課題を解決する手段】
【０００１】インターネット上の法人を介して正確な個人情報を基に個人間の信用を構築し、必要金額を公募した上で必要資金の支援を受け、その支援を元に要望を実現する。支援の際有価証券の発行を行わずに、借用証にて行うことにより法人が法的な債権者とならないことによりホスト管理法人側の期間損失を防止する。ホスト管理法人が要望提示債務者より債権決済不可となった場合において返済可能な範囲を支援先に提示させた上で返済させることにより支援元の損失を縮小させることが可能となり、支援先に対して事情等を考慮しそのまま支援支払に切換えることにより支援先の負担が軽減されることとなる。
【図面の簡単な説明】
【０００１】図１において（上）通常手順、（下）損失発生手順とし、金利はホスト管理法人指定範囲内における支援先による自由提案とする。
【図１】
2005038358.tif 000003
(57)【要約】【課題】従来の一部コンビニエンスストアでの医薬品販売は、購入者が自分で症状を判断し、薬品を購入していました。専門的な知識のない人が薬品を購入することは、症状に対して効果が出ないばかりか、余計に悪化させることもあり問題となっています。【解決手段】コンビニエンスストアに薬剤師と対話できるテレビ電話を設置し、テレビ電話を操作することでリアルタイムに診断を行い、自分の症状にあった薬品を購入することができます。【選択図】図１
2005038360.tif 000002
【特許請求の範囲】
【請求項１】
テレビ電話を使用して薬剤師不在のコンビニエンスストアでも適切な薬剤選択を可能とすることを特徴とするシステム。
【請求項２】
テレビ電話をセンターに接続することにより近隣薬剤師の検索を行い、依頼者と薬剤師がテレビ電話を通じて、目で確認しながら適切な薬剤のアドバイスを行います。
【発明の詳細な説明】
【発明の詳細な説明】
全国のコンビニエンスストアに検診用テレビ電話を設置し、テレビ電話を操作することで、センターに繋がります。
センターでは、アクセスのあったコンビニエンスストアの近隣の登録薬剤師を検索し、該当薬剤師のテレビ電話とコンビニエンスストアのテレビ電話を繋ぎます。
該当薬剤師は、依頼者と問診を行い、またテレビ電話で依頼者の顔色、症状を確認し、薬品をアドバイスします。
依頼者は薬剤師にアドバイスされた薬品を安心して購入することができます。
【技術分野】  当発明は「医療・福祉事務」においての「遠隔薬剤診断」に関する発明です。
【発明が解決しようとする課題】
従来の一部コンビニエンスストアでは医薬品を販売していましたが、一般人ではどの薬品が効果的なのか判断することができず、安心して薬品を購入することができません。
【課題を解決するための手段】
当発明は、テレビ電話を通じて薬剤師と依頼者を直接問診させることにより、適切な薬剤を選択することができます。また、依頼者は自分の症状に効果的な薬品をコンビニエンスストアで購入することができます。
【発明を実施するための最良の形態】  この発明の一実施形態を図１に示します。
▲１▼に来店したａはＴ１を使用し、▲２▼へ接続する。▲２▼にてｂはＴ２を使用し、依頼を受けＳを使用して、近隣のｃを検索し、▲３▼のＴ３と▲１▼のＴ１を接続する。▲３▼にてｃはＴ３を使用し、ａの依頼を受け症状を解析し、医薬品のアドバイスを行う。ａはｃのアドバイスを受け、医薬品を▲１▼にて購入する。
【実施形態の効果】
この実施形態によればコンビニエンスストアに薬剤師が不在の場合でも、薬剤師と対話することができ、適切な薬剤を選択することができます。薬剤師のアドバイスにより効果的な薬品を選択、購入することができます。
【図面の簡単な説明】  ［図１］は、「ネットメディカルドクター」のシステム図です。
【符号の説明】
▲１▼・・・コンビニエンスストア
▲２▼・・・センター
▲３▼・・・登録薬剤師
ａ・・・依頼者
ｂ・・・センター職員
ｃ・・・薬剤師
Ｔ１・・・コンビニエンスストア用テレビ電話
Ｔ２・・・センター用テレビ電話
Ｔ３・・・登録薬剤師用テレビ電話
Ｓ・・・センターサーバ
【図１】
2005038360.tif 000003
(57)【要約】【課題】一般的に講演等ではその内容説明のためにマイクとコンピュータに接続されたプロジェクタが多用されており、片手でマイクを持ち他の手でコンピュータ用マウスを操作しながら説明を行っている。その場合、プロジェクタで投影された説明資料のページをめくるためにはもう一方の手でコンピュータ用マウスを操作する必要があったので、講演者は演台を離れることができず、投影された資料の指示を行うためにレザーポインターを使用する場合にはマウスからレザーポインターに持ち替える必要があり不便であった。また、講演の経過時間を確認、調整するために、時計を腕から外し演台に置いていた。そのため、講演者は演台を離れることが出来ないとともに補助者が付くのが通例であった。【解決手段】コンピュータ用マウスにレザー光線発射部とレザー光線発射スイッチとタイマーを内蔵させることにより、講演者は自由に移動しながら、マウスからレザーポインタに持ち替えることなく、レザーポインタにより資料の指示が行え、かつ講演の経過時間をチェックすることができる。【選択図】１図【特許請求の範囲】
【請求項１】
ポインターとして用いられるレザー光線の発射部とレザー発射用電源として電池を内蔵又はＵＳＢ端子に接続されたコードで電気を取り入れることができるレザーポインター付きコンピュータ用マウス。
【請求項２】
タイマーとその設定ボタンを組み込んだ請求項１のレザーポインター付きコンピュータ用マウス。
【請求項３】
請求項１及び２においてコードレスのコンピュータ用マウス。
【発明の詳細な説明】
【発明の詳細な説明】
【技術分野】
【０００１】この発明はコンピュータ用マウスにポインターとして用いられるレザー光線発射部とタイマーとその設定ボタンを組み込んだものである。
【背景技術】
【０００２】一般的に講演等ではその内容説明のためにマイクとコンピュータに接続されたプロジェクタが多用されており、片手でマイクを持ち他の手でコンピュータ用マウスを操作しながら説明を行っている。その場合、プロジェクタで投影された説明資料のページをめくるためにはもう一方の手でコンピュータ用マウスを操作する必要があったので、講演者は演台を離れることができず、投影された資料の指示を行うためにレザーポインターを使用する場合にはマウスからレザーポインターに持ち替える必要があり不便であった。また、講演の経過時間を確認、調整するために、時計を腕から外し演台に置いていた。そのため、講演者は演台を離れることが出来ないとともに補助者が付くのが通例であった。
【発明が解決しようとする課題】
【０００３】本発明は講演者一人で、片手だけでマウス操作とレザーポインター操作と経過時間の確認、調整を行える器具を開発することにより、講演者の自由な移動確保と補助者との意思疎通不備による不手際の解消と講演の経費削減に寄与し、効率的な講演を図ることが出来るようにするために発明されたものである。
【課題を解決するための手段】
【０００４】コンピュータ用マウスの一端にレザー光線発射部を設け、マウスの操作し易い部分にレザー光線発射用スイッチを設け、マウスの適当な部分にタイマー表示部を設ける。この場合、本発明のマウスはレザーポインター付きのみのものであっても、タイマー付きのみのものであってもよい。また、本発明のマウスはコード付きのものであっても、コードレスのものであってもよい。電源はレザーポインター用電源とタイマー用電源が共通であってもよく、その電源の供給は電池であってもＵＳＢ端子から供給されるものであってもよい。
【発明を実施するための最良の形態】
【０００５】講演者が片手だけでマウス操作とレザーポインター操作と経過時間の確認と調整を行えるようになるとともに、電源としては電池又はＵＳＢ端子から供給される電気のいずれかを利用することができる。また、本発明のマウスはコード付き又はコードレスの形態があり、使用条件により選択できる。
【発明の効果】
【０００６】プロジェクタを使用した講演者は片方の手でマイクを持ち、もう一方の手でレザーポインターとタイマー付きである本発明のマウスを持ち、プロジェクタで投影される内容説明のページをめくりながら一人で自由に動き回ることができ、演台に戻ることなく、本発明のマウスに内蔵されたレザーポインタで説明を指示でき、タイマーを見ながら講演時間の確認・調整が行える。
【図面の簡単な説明】
【図１】レザーポインターとタイマー付きのコード付きコンピュータ用マウス
【図２】レザーポインターとタイマー付きのコードレスコンピュータ用マウス
【符号の説明】
（１）コンピュータ用マウス本体  （２）レザー光線発射部（３）レザー光線発射用スイッチ  （４）タイマー表示部（５）レザー光線、タイマー用電池（６）ＵＳＢ端子コード
【図１】
2005038362.tif 000002
【図２】
2005038362.tif 000003
(57)【要約】      （修正有）【課題】専門技術を要さなくても、簡単にアップロードできるホームページ公開システム（電子掲示板）を提供する。【解決手段】利用者は、標準装備されたパソコンの機能を使うことで、商売の宣伝を短時間で行うことができるようにした。まずＵＲＬにアドレスを入力し、これにアクセスする。管理画面が呼び出される。用意されたＩＤとパスワードを入力する。使用者自らが、用意した画像並び文章を入力し、更新ボタンを押してアップロードする。これで完了である。利用者側が特別なソフトやＨＴＭＬ言語を学ぶ必要がなくなっている。このシステムは、管理画面と公開画面の２画面から構成され公開画面は、アイモードでも見ることができる。このように本発明は短時間で公開を完了させることができるので、従来のホームページ作成の複雑な掲載方法を解決さている。【選択図】図１
2005038370.tif 000002
【特許請求の範囲】
【請求項１】
本発明は、ホームページ及び、アイモードに情報を短時間にアップロードできることを特徴とするシステムである。このシステムは、管理用画面と公開画面の２画面から構成され公開画面はアイモードと連動する。管理画面は雛型形式をとり、ここに画像並び文字を入力する。文字は、用意された枠内に必要とされる文章を入力し更新ボタンを押すことによって、用意されたサーバー内にアップロードされる。また、画像の場合は、画像取込み用ボタンを選択するとウィンドウ開き参照ボタンを選択し、用意された画像を使用する。そして、用意されたボタン（アップロードボタン）をおすことで画像がアップロードされる。このシステムは、電子掲示板やタイムサービスネットとして扱うことができる。また業種別に異なる雛型を用意することで、バリエーションにとんだホームページを構築するシステムということである。
【発明の詳細な説明】
【技術分野】
【０００１】  本発明は、特殊な技術を必要とせず、パソコンの標準装備された機能をもってホームページの掲載や変更が自由にできるシステムである。
【背景技術】
【０００２】  一般的のホームページを掲載する場合ＨＴＭＬ言語を学ぶ必要があり、またはホームページ作成用ソフトをマスターしなければ掲載することができなかった。本発明のシステムは、文章の入力できる技術さえあれば、用意された雛型内に載せることでネット上にすばやく公開できる。また、ホームページ上の掲示板は公知であるが、画像と文字の掲載を組合せ迅速にウェッブ上に公開できる。各業種別に雛型を用意することで、画面の変化を持たせることができる。また業種別に統一された画面になり見やすくなる。
【発明の開示】
【発明が解決しようとする課題】
【０００３】  ホームページを作成して公開するということは、用意された資料の保存管理に技術を要する。このシステムは、これら複雑な作業を雛型形式に置き換えることで、ホームページの公開を簡単にしているので、一切のわずらわしさからは開放される。例えば、ある飲食店に行くとする。この店には、写真入の立派なメニューがある。しかし、このメニューがあるにもかかわらず、黒板に手書きで今日のおすすめメニューが書き込まれている。まさに、この黒板が本発明のシステムそのものである。画像や文字を入力し更新ボタンを押すことで、新しい情報が上書きされて公開される。２４時間タイムサービスに適したホームページ公開システムである。
【課題を解決させるための手段】
【０００４】  本発明は、このような事情に鑑み、ホームページ作成が短時間内にアップロードすることを目的とする。
【実施例】
【０００５】  管理画面と公開画面の２画面から構成され公開画面は、アイモードと連動される。公開画面はＩＤとパスワードによってセキュリティーが図られている。安全かつ迅速に各ページを公開することができる。
【産業上の利用可能性】
【０００６】  本発明のシステムは、従来のものと同様に利用者自ら必要なサービスの掲載が可能であり、ＩＤとパスワード持つことで安全性を確保しながら、出先（仕入先）からインターネット上に簡単に掲載することができる。２４時間３６５日ネット上に電子黒板を持つことができ、毎時ごとに、黒板に書きこむと同様に使用でき実践的なシステムとして利用が期待できる。
【図面の簡単な説明】
【０００７】  管理画面、公開画面からなり公開画面はアイモード画面と連動される。【図１】に示すように画像枠と文字枠といった雛型を用意しまる。画像１、２は、写真や画像の配置場所である。文字枠は画像１、２の説明文や商売のリアルタイム情報を載せることができる。▲１▼、▲２▼は画像取込みボタン▲３▼は文字のアップロード並び更新ボタンである。用意された画像や写真を画像１に配置する場合、▲１▼ボタンをクリックして用意された画像を選択しアップロードする。文字枠は、ここに必要事項を記入し▲３▼ボタンでアップロードすることができる。
【図２】は、「図１」によって画像枠と文字枠に書き込まれた画像と文字は「図２」のように表現され、「図１」にある▲１▼、▲２▼、▲３▼のアップロード用ボタンや、枠取りがなくなる。
【図１】
2005038370.tif 000003
【図２】
2005038370.tif 000004
(57)【要約】  【課題】  電気的かつ機械的な動作を可能としたロータリースイッチ機構を提供する。  【解決手段】  固定接片１を保持した絶縁樹脂製のステータ２と、このステータ２と組み合わされ前記固定接片１と接離する可動接片３を保持した絶縁樹脂製のロータ４と、前記ステータ２の軸孔５に通されてその背面側に突出された前記ロータ４の回転駆動軸６と、前記ロータ４の外縁に形成された凸部７と、前記回転駆動軸６が回転駆動されることにより前記ロータ４が回転されると、前記凸部７の回転変位により駆動される被駆動ピン８を設けた被駆動体９とを備えたロータリースイッチ機構である。【選択図】  図３
2005038757.tif 000002
【特許請求の範囲】
【請求項１】
固定接片を保持したステータと、このステータと組み合わされ前記固定接片と接離する可動接片を保持したロータと、前記ステータの軸孔に通されてその背面側に突出された前記ロータの回転駆動軸と、前記ロータの外縁に形成された凸部と、前記回転駆動軸が回転駆動されることにより前記ロータが回転されると、前記凸部の回転変位により駆動される被駆動ピンを設けた被駆動体とを備えたロータリースイッチ機構。
【発明の詳細な説明】
【技術分野】
【０００１】
本発明は、電気的かつ機械的な動作をするロータリースイッチ機構に関する。
【背景技術】
【０００２】
特許文献１には、固定接片を保持したステータと、このステータと組み合わされ前記固定接片と接離する可動接片を保持したロータとを備えたロータリースイッチが開示される。このスイッチの動作はロータが回転駆動されることにより電気的な出力を得るに留まっている。
【特許文献１】特許第２６３０７０８号公報
【発明の開示】
【発明が解決しようとする課題】
【０００３】
しかし、機械的な伝達動作も並行して行いたい場合には、元の回転駆動力を別途、クランク機構などを介して行わざるを得ないので、機構が大掛かりになって、高価になるのが明らかである。本発明はこのような解決すべき課題を鑑み、電気的かつ機械的な動作を可能としたロータリースイッチ機構を提供することを目的とする。
【課題を解決するための手段】
【０００４】
本発明を要約すると、固定接片を保持したステータと、このステータと組み合わされ前記固定接片と接離する可動接片を保持したロータと、前記ステータの軸孔に通されてその背面側に突出された前記ロータの回転駆動軸と、前記ロータの外縁に形成された凸部と、前記回転駆動軸が回転駆動されることにより前記ロータが回転されると、前記凸部の回転変位により駆動される被駆動ピンを設けた被駆動体とを備えたロータリースイッチ機構である。
【発明の効果】
【０００５】
本発明によれば、ロータの外縁に形成した凸部を利用して、その凸部の回転変位により被駆動ピンを設けた被駆動体を機械的駆動できるため、簡単かつ安価に実施できる上、ロータの回転駆動軸がステータの軸孔に通されてその背面側に突出されているため、被駆動体のない側においてロータの回転駆動軸が存在するため、回転駆動を行いやすいという効果を奏する。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、固定接片１を保持した絶縁樹脂製のステータ２と、このステータ２と組み合わされ前記固定接片１と接離する可動接片３を保持した絶縁樹脂製のロータ４と、前記ステータ２の軸孔５に通されてその背面側に突出された前記ロータ４の回転駆動軸６と、前記ロータ４の外縁に形成された凸部７と、前記回転駆動軸６が回転駆動されることにより前記ロータ４が回転されると、前記凸部７の回転変位により駆動される被駆動ピン８を設けた被駆動体９とを備えたロータリースイッチ機構である。
【０００８】
さらに詳述すれば、固定接片１…からはステータ２の側部に端子１０…が導出されている。回転接片３は回転駆動軸６の周りにおいてロータ４の下面に適宜手段で固定されている。回転駆動軸６に結合される回転軸１１が、例えば自動車のドアキーの所定回転角度内の回転操作により回転駆動されると、回転接片３の接点１２…が固定接片１…と接離して端子１０…に電気的出力が得られる。
【０００９】
これと並行して、ロータ４の回転に伴い凸部７が回転変位されるので、凸部７、７のいずれかがそれらの間にある被駆動ピン８を駆動してその結果、被駆動体９が例えば直線的に駆動変位される。そうすると、例えば、被駆動体９の側部に形成した低段部１３と高段部１４の段差に基づいてマイクロスイッチ１５の作動ピン１６が進退してマイクロスイッチ１５から電気的出力が得られる。また、被駆動体９の図外の端部で何らかの機械的または電気的動作を行わせてもよい。
【００１０】
本実施形態によれば、ロータ４の外縁に形成した凸部７を利用して、その凸部７の回転変位により被駆動ピン８を設けた被駆動体９を機械的駆動できるため、簡単かつ安価に実施できる上、ロータ４の回転駆動軸６がステータ２の軸孔５に通されてその背面側に突出されているため、被駆動体９のない側においてロータ４の回転駆動軸６が存在するため、回転駆動を行いやすい。
【図面の簡単な説明】
【００１１】
【図１】本発明の実施形態を示す部分分解斜視図
【図２】同組立断面図
【図３】同全体斜視図
【図４】同上面図
【符号の説明】
【００１２】
１  固定接片
２  ステータ
３  可動接片
４  ロータ
５  軸孔
６  回転駆動軸
７  凸部
８  被駆動ピン
９  被駆動体
【図１】
2005038757.tif 000003
【図２】
2005038757.tif 000004
【図３】
2005038757.tif 000005
【図４】
2005038757.tif 000006
(57)【要約】【課題】  本発明は、接続コネクタを破損等により交換する場合に、容易に交換が可能で、接続コネクタを板金等に設けられたホルダに固定の際、取付け向き誤りを防止するワイヤハーネス構造とすることを課題とする。【解決手段】  本発明は、繰り返し挿脱を行って接続使用される接続コネクタから、複数のセンサ、モータ等のデバイスへ接続される電線が分配されるワイヤハーネスにおいて、前記接続コネクタに挿入されている全電線を前記接続コネクタ付近に設けた中継コネクタを経由させたことを特徴とする。【選択図】図１
2005038782.tif 000002
【特許請求の範囲】
【請求項１】
繰り返し挿脱を行って接続使用される接続コネクタから、複数のセンサ、モータ等のデバイスへ接続される電線が分配されるワイヤハーネスにおいて、前記接続コネクタに挿入されている全電線を前記接続コネクタ付近に設けた中継コネクタを経由させたことを特徴とするワイヤハーネス。
【発明の詳細な説明】
【技術分野】
【０００１】
本発明は、例えば電子写真式印刷装置本体と現像装置を接続するワイヤハーネスに関するものである。
【背景技術】
【０００２】
現像装置と電子写真式印刷装置本体の電気接続部に用いられる接続コネクタは、現像装置が電子写真式印刷装置本体に格納することで自動的に接続される構造のため、繰り返し挿抜に耐え、現像装置側と電子写真式印刷装置側のコネクタ取付け位置のズレを吸収して勘合できるコネクタを採用しているが、多数のコネクタを取り付けるとコネクタ位置ズレの吸収が困難となるため、１〜２個の使用に抑えている。そのため、前記現像装置内に具備される各種センサ、モータ等デバイスに接続される電線は、最終的に１〜２個の接続コネクタに集約され、接続コネクタから複雑に分岐されたワイヤハーネスが形成されている。
【０００３】
前記接続コネクタを交換する場合、前記ワイヤハーネスが、接続コネクタから現像装置内の各デバイスまで中継コネクタ無しで接続されているため、現像装置を分解して取り外す必要があり、再組立後にはワイヤハーネスの短絡、地絡チェック、接続コネクタを板金等に設けられたホルダに固定する際の取付け向き以外に、再組立部のチェックも要し作業性が悪かった。
【０００４】
尚、交換要部分のワイヤハーネスを容易に交換できる構造の従来技術として、ワイヤハーネスに中継コネクタを設け、複数個の中継コネクタまでのワイヤ長を段階的に変化させることで中継コネクタの誤接続を防止する方法が知られている（例えば、特許文献1参照）。
【０００５】
【特許文献１】特開平１１−１４４８０７号公報
【発明の開示】
【発明が解決しようとする課題】
【０００６】
現像装置と電子写真式印刷装置本体との接続コネクタが破損等により交換が必要な場合、現像装置を分解して交換しなければならないワイヤハーネス構造では、前記現像装置の再組立て時に、短絡、地絡発生やコネクタ取付け向きの誤らせる要因となり、延いては電子写真式印刷装置の動作異常、または損傷を発生させてしまう場合がある。
【０００７】
本発明は、接続コネクタを交換する場合に、少ない工程にて容易に交換可能で、接続コネクタの取付け向き誤りを防止するワイヤハーネス構造とすることを目的としている。
【課題を解決するための手段】
【０００８】
上記目的は、繰り返し挿脱を行って接続使用される接続コネクタから、複数のセンサ、モータ等のデバイスへ接続される電線が分配されるワイヤハーネスにおいて、前記接続コネクタに挿入されている全電線を前記接続コネクタ付近に設けた中継コネクタを経由させることによって達成される。
【発明の効果】
【０００９】
以上説明したように本発明により、現像装置と電子写真式印刷装置本体の接続コネクタの交換を容易にし、接続コネクタを固定の際、取付け向きの誤りを防ぐことができる。
【発明を実施するための最良の形態】
【００１０】
以下、本発明の実施例を図面を用いて説明する。
【実施例１】
【００１１】
以下、本発明を実施例にて説明する。図１は現像装置側の接続コネクタと中継コネクタのワイヤハーネス実施例である。１は現像装置側の接続コネクタ、２ａ、２ｂ、２ｃは現像装置の各デバイスに接続されているワイヤハーネスと接続される中継コネクタ群、３は電線群であり、Ｌａは接続コネクタ１と中継コネクタ２ａ間の最短距離、Ｌｂは接続コネクタ１と中継コネクタ２ｂ間の最短距離、Ｌｃは接続コネクタ１と中継コネクタ２ｃ間の最短距離を示している。
【００１２】
Ｌａ、Ｌｂ、Ｌｃは、接続コネクタ１と中継コネクタ２ａ、２ｂ、２ｃの現像装置実装位置によって決定されるが、同一の距離である必要はなく、中継コネクタ２ａ、２ｂ、２ｃが実装上不具合を発生しない限り短い距離で、中継コネクタ２ａ、２ｂ、２ｃの並びを替えられない距離に設定している。
【００１３】
例えば、図１の左から２ａ、２ｂ、２ｃの並びを左から２ａ、２ｃ、２ｂと替えようとしても、Ｌｂ、Ｌｃ、が十分短ければ電線群３を捻っても入替えることが不可能である。また、左から２ｃ、２ｂ、２ａと並べ替えるには、Ｌａ、Ｌｂ、Ｌｃが十分短ければ、図１において紙面上方から見た接続コネクタ１の可視面を紙面裏側に返す方向に回転（１８０度回転）させなければ実現できない。
【００１４】
従って、図２に示す様に現像装置８に固定されコネクタ配置を入替えることが出来ない中継コネクタ４ａ、４ｂ、４ｃに、嵌合相手である中継コネクタ２ａ、２ｂ、２ｃを接続するためには、接続コネクタ１を回転させなければならず、接続コネクタ１をホルダ５に固定する際の取付け向きが一意的に決まるため、誤った向きに取り付けることを防ぐことが可能となる。
【００１５】
また前述のように、Ｌａ、Ｌｂ、Ｌｃが決定されることで、接続コネクタ１を交換する場合に取り外すワイヤハーネスは、極小さい部分で済むため、現像装置８を分解する部分も少なくすることができる。
【００１６】
図２においては、現像装置８にネジ６ａ、６ｂにて固定されているホルダ５を外すことで、中継コネクタ２ａ、２ｂ、２ｃを嵌合相手の中継コネクタ４ａ、４ｂ、４ｃから取り外せるため、現像装置８内部まで分解して各デバイスに接続されているワイヤハーネスを外さなくても接続コネクタ１が取り外すことが可能である。
【００１７】
尚、上記の実施例はあくまでも一例であり、複数のコネクタが接続されるワイヤハーネスであれば本発明を適用することは可能であり、前述の現像装置と電子写真式印刷装置を接続するワイヤハーネスに限定されるものではない。
【図面の簡単な説明】
【００１８】
【図１】本発明の一実施例に基づく現像装置側接続コネクタを含むワイヤハーネス概略図。
【図２】本発明の一実施例に基づく接続コネクタの取付け向き誤り防止を示す概略図。
【符号の説明】
【００１９】
１・・接続コネクタ、２ａ、２ｂ、２ｃ・・中継コネクタ、３・・電線群、４ａ、４ｂ、４ｃ・・２ａ、２ｂ、２ｃ中継コネクタ、５・・ホルダ、６ａ、６ｂ・・ホルダ固定ネジ、７・・接続コネクタ固定ネジ、８・・現像装置。
【図１】
2005038782.tif 000003
【図２】
2005038782.tif 000004
(57)【要約】  【課題】  合理的な落下防止機構を備えた反射笠支持装置を提供する。  【解決手段】  支持金具１には外向きに折り返された一対の折り返し片３、３の上端付近に例えば窪んだ形状の係止部４、４が形成される。係止部４、４に反射笠２の上面に形成した孔５の縁部が各々係止される。折り返し片３、３の基部付近において、折り返し片３、３の一部が外向きに切り起こされて一対の切り起こし片６、６が形成されている。孔５は長孔形状であり、孔５の長手方向を一対の切り起こし片６、６の方向と合致させてから反射笠２が押し上げられることにより、孔５に一対の切り起こし片６、６が通され、さらに、反射笠２が略直角に回転されてから反射笠２が押し上げられることにより、孔５の長手方向に沿う縁部が係止部４、４に各々係止され、孔５の縁部が係止部４、４から万一外れた場合には孔５の縁部が切り起こし片６、６に掛かり止められる。【選択図】  図４
2005038781.tif 000002
【特許請求の範囲】
【請求項１】
支持金具に反射笠が支持される照明器具における反射笠支持装置であって、下記要件(A)〜(D)を備える。
(A) 前記支持金具には外向きに折り返された一対の折り返し片の上端付近に係止部が形成される。
(B) 前記係止部に前記反射笠の上面に形成した孔の縁部が各々係止される。
(C) 前記折り返し片の基部付近において、その折り返し片の一部が外向きに切り起こされて一対の切り起こし片が形成されている。
(D) 前記孔は長孔形状であり、その孔の長手方向を前記一対の切り起こし片の方向と合致させてから前記反射笠が押し上げられることにより、前記孔に前記一対の切り起こし片が通され、さらに、前記反射笠が略直角に回転されてから前記反射笠が押し上げられることにより、前記孔の長手方向に沿う縁部が前記係止部に各々係止され、前記孔の縁部が前記係止部から外れた場合には前記孔の縁部が前記切り起こし片に掛かり止められて、前記反射笠の落下が防止される。
【発明の詳細な説明】
【技術分野】
【０００１】
本発明は、ダウンライトなどの照明器具における反射笠の支持装置に関する。
【背景技術】
【０００２】
ダウンライトなどでは、本体などに固定された支持金具に反射笠が支持されており、
(A) 前記支持金具には外向きに折り返された一対の折り返し片の上端付近に窪み形状などの係止部が形成され、
(B) 前記係止部に前記反射笠の上面に形成した孔の縁部が各々係止されていた。
さらに、前記反射笠の落下防止のために、反射笠と本体などとをあらかじめボールチェーンなどで結合していた。
【発明の開示】
【発明が解決しようとする課題】
【０００３】
しかし、そのようなチェーンを取り付ける作業は面倒であり、コスト面でも不利であるという解決すべき課題があることに着目されるべきである。本発明はこのような課題を解決できる合理的な落下防止機構を備えた反射笠支持装置を提供することを目的とする。
【課題を解決するための手段】
【０００４】
本発明は、支持金具に反射笠が支持される照明器具における反射笠支持装置であって、下記要件(A)〜(D)を備える。
(A) 前記支持金具には外向きに折り返された一対の折り返し片の上端付近に係止部が形成される。
(B) 前記係止部に前記反射笠の上面に形成した孔の縁部が各々係止される。
(C) 前記折り返し片の基部付近において、その折り返し片の一部が外向きに切り起こされて一対の切り起こし片が形成されている。
(D) 前記孔は長孔形状であり、その孔の長手方向を前記一対の切り起こし片の方向と合致させてから前記反射笠が押し上げられることにより、前記孔に前記一対の切り起こし片が通され、さらに、前記反射笠が略直角に回転されてから前記反射笠が押し上げられることにより、前記孔の長手方向に沿う縁部が前記係止部に各々係止され、前記孔の縁部が前記係止部から外れた場合には前記孔の縁部が前記切り起こし片に掛かり止められて、前記反射笠の落下が防止される。
【発明の効果】
【０００５】
本発明によれば、支持金具に切り起こし片を形成して反射笠の落下防止に供するものであるため、さほどコストアップを伴なわずに実施でき、反射笠の取付施工作業も比較的容易に行える。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、バネ性の支持金具１に反射笠２が支持されるダウンライトにおける反射笠支持装置であって、下記要件(A)〜(D)を備える。
(A) 前記支持金具１には外向きに折り返された一対の折り返し片３、３の上端付近に例えば窪んだ形状の係止部４、４が形成される。
(B) 前記係止部４、４に前記反射笠２の上面に形成した孔５の縁部が各々係止される。
(C) 前記折り返し片３、３の基部付近において、その折り返し片３、３の一部が外向きに切り起こされて一対の切り起こし片６、６が形成されている。
(D) 前記孔５は長孔形状であり、その孔５の長手方向を前記一対の切り起こし片６、６の方向と合致させてから前記反射笠２が押し上げられることにより、前記孔５に前記一対の切り起こし片６、６が通され、さらに、前記反射笠２が略直角に回転されてから前記反射笠２が押し上げられることにより、前記孔５の長手方向に沿う縁部が前記係止部４、４に各々係止され、前記孔５の縁部が前記係止部４、４から万一外れた場合には前記孔５の縁部が前記切り起こし片６、６に掛かり止められて、前記反射笠２の落下が防止される。
【０００８】
さらに詳述すれば、本体７には点灯装置８、ソケット９、ランプ１０などが設けられ、さらに、本体７に固定した複数の支持具１１にスライド可能に係止した取付具１２…により、本ダウンライトが天井１３の内部に埋め込み取り付けされている。
【０００９】
支持金具１の上端は本体７に固定され、その固定部から下方に延びた部分の下縁から前記折り返し片３及び切り起こし片６が形成されている。
【００１０】
本実施形態によれば、支持金具１に切り起こし片６を形成して反射笠２の落下防止に供するものであるため、さほどコストアップを伴なわずに実施でき、反射笠２の取付施工作業も比較的容易に行える。
【図面の簡単な説明】
【００１１】
【図１】本発明の実施形態を示す側面図
【図２】下面図
【図３】図１の丸囲み部の拡大断面図
【図４】要部分解斜視図
【符号の説明】
【００１２】
１  支持金具
２  反射笠
３  折り返し片
４  係止部
５  孔
６  切り起こし片
【図１】
2005038781.tif 000003
【図２】
2005038781.tif 000004
【図３】
2005038781.tif 000005
【図４】
2005038781.tif 000006
(57)【要約】  【課題】  経年劣化を実質的に発生しない照明器具取付装置を提供する。  【解決手段】  天井１側に設置され外縁部に係止部２を形成した引掛接続器３と、前記係止部２に係止されるようにバネ４で内向きに付勢された被係止部５を設けた取付具６をもつ照明器具７とを備え、前記取付具６は第二バネ８で下方に付勢されている照明器具取付装置である。そして、取付具６は、バネ４で内向きに付勢された被係止部５を設けた枠体９を備え、この枠体９が第二バネ８で下方に付勢されている。【選択図】  図１
2005038710.tif 000002
【特許請求の範囲】
【請求項１】
天井側に設置され外縁部に係止部を形成した引掛接続器と、前記係止部に係止されるようにバネで内向きに付勢された被係止部を設けた取付具をもつ照明器具とを備え、前記取付具は第二バネで下方に付勢されている照明器具取付装置。
【請求項２】
請求項１において、取付具は、バネで内向きに付勢された被係止部を設けた枠体を備え、この枠体が第二バネで下方に付勢されている照明器具取付装置。
【請求項３】
請求項１において、被係止部の下面と係止部の上面にそれぞれ細かな凹凸を設けた照明器具取付装置。
【発明の詳細な説明】
【技術分野】
【０００１】
本発明は、照明器具を天井に取り付ける装置に関する。
【背景技術】
【０００２】
特許文献１には、天井側に設置され外縁部に係止部を形成した引掛接続器と、前記係止部に係止されるように内向きに弾性付勢された被係止部を設けた取付具をもつ照明器具とを備えた照明器具取付装置が開示されている。そして、取付状態において、照明器具あるいはそのグローブなどを回転操作した場合を考慮して、照明器具のガタツキや回転を抑止するために照明器具の上面に厚肉のスポンジパッキンを貼り付けて、天井との摩擦をもたせている。
【特許文献１】実用新案登録第２５４７２７５号公報
【発明の開示】
【発明が解決しようとする課題】
【０００３】
しかし、このようなスポンジパッキンには経年変化によって弾性劣化が発生して、照明器具が回転しやすくなり、あまり好ましくない。そこで、本発明はこのような解決すべき課題を鑑み、経年劣化を実質的に発生しない照明器具取付装置を提供することを目的とする。
【課題を解決するための手段】
【０００４】
本発明を要約すると、天井側に設置され外縁部に係止部を形成した引掛接続器と、前記係止部に係止されるようにバネで内向きに付勢された被係止部を設けた取付具をもつ照明器具とを備え、前記取付具は第二バネで下方に付勢されている照明器具取付装置である。また、取付具は、バネで内向きに付勢された被係止部を設けた枠体を備え、この枠体が第二バネで下方に付勢されているとよい。また、被係止部の下面と係止部の上面にそれぞれ細かな凹凸を設けるとよい。
【発明の効果】
【０００５】
本発明によれば、照明器具が回転されようとしても、取付具側の被係止部が第二バネの下向き付勢力により引掛接続器側の係止部に圧接されているため、照明器具が回転しにくいものとなる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、天井１側に設置され外縁部に係止部２を形成した引掛接続器３と、前記係止部２に係止されるようにバネ４で内向きに付勢された被係止部５を設けた取付具６をもつ照明器具７とを備え、前記取付具６は第二バネ８で下方に付勢されている照明器具取付装置である。そして、取付具６は、バネ４で内向きに付勢された被係止部５を設けた枠体９を備え、この枠体９が第二バネ８で下方に付勢されている。
【０００８】
さらに詳述すれば、引掛接続器３としては、天井１に直接的に固定された引掛シーリングローゼットを例示したが、その他に引掛接続器として、前記引掛シーリングローゼットに引掛接続されるいわゆる中間アダプター形式のものでもよく、このような中間アダプターの外縁部に係止部が形成されておればよいものである。
【０００９】
照明器具７の上面に、薄肉のスポンジパッキン、ゴムパッキンあるいはフェルトパッキンなどの摩擦部材を補助的に設けてもよい。この実施形態では、照明器具７の窓孔１０の縁部にビスなどで固定される台座１１の上面に薄肉の摩擦部材１２を貼り付けている。また、摩擦部材１２を貼り付ける代わりに、台座１１の上面を粗面として摩擦を大きくしてもよい。台座１１の下面には、外周に第二バネ８を装備した軸棒１３がビスなどで固定され、軸棒１３の下端は枠体９を貫通して枠体９の下面側からビスなどを軸棒１３の下端に螺合している。
【００１０】
被係止部５、５とバネ４、４とは枠体９の両側内縁に各々収められ、それらの下面に位置する蓋１４をビスなどで枠体９に固定している。被係止部５の下面には解除部１５が一体的に下向きに突出形成され、解除部１５は蓋１４の孔部分を通じて下面に露出している。指で解除部１５を外向きに操作すれば、バネ４の付勢力に逆らって被係止部５を外向きに後退できるので、照明器具７を引掛接続器３から取り外す場合に解除部１５が操作される。照明器具７の下面にはランプ１６、グローブ取付具１７などが設けられ、グローブ取付具１７により図外のグローブが取りつけられる。また、照明器具７の上面外周付近には膨出形状の凸部１８が複数あり、凸部１８が天井１に当接することによっても照明器具７の回転力をある程度抑止できる。
【００１１】
図１の状態から照明器具７を押し上げると、図３のように照明器具７の凸部１８や摩擦部材１２が天井１に当接する。そして、取付具６の下面を支えて押し上げると被係止部５が係止部２を乗り越えて、係止部２に係止される。次いで、引掛接続器３の下面に照明器具７の受電のために引掛プラグ１９を回転して接続する。これにより照明器具７の取付と受電が完了する。
【００１２】
本実施形態によれば、照明器具７を回転したり、照明器具７に取りつけるグローブなどを回転しても、取付具６側の被係止部５が第二バネ８の下向き付勢力により引掛接続器３側の係止部２に圧接されているため、照明器具７が回転しにくいものとなる。従って、グローブを照明器具７に回転して着脱する作業が容易になったり、引掛プラグ１９からの受電コード２０がねじれたりしない。従って、経年劣化を実質的に発生しない照明器具取付装置を提供できる。なお、被係止部５の下面と係止部２の上面にそれぞれ細かな凹凸を設けると回転抑止にとってさらに好ましい。
【図面の簡単な説明】
【００１３】
【図１】本発明の実施形態を示す非取付時断面図
【図２】同取付具の分解斜視図
【図３】同取付過程の断面図
【図４】同取付時の断面図
【図５】同下面図
【符号の説明】
【００１４】
１  天井
２  係止部
３  引掛接続器
４  バネ
５  被係止部
６  取付具
７  照明器具
８  第二バネ
９  枠体
【図１】
2005038710.tif 000003
【図２】
2005038710.tif 000004
【図３】
2005038710.tif 000005
【図４】
2005038710.tif 000006
【図５】
2005038710.tif 000007
(57)【要約】【課題】  販売店のバッテリーの在庫を減らし、かつ、電流を引き出しやすくする。【解決手段】  バッテリー１のプラス極板側に２のプラス端子を２つ備え、マイナス極板側も同様に３のマイナス端子を２つ備えることによってＬ・Ｒの区別を無くし、互換性をもたせたバッテリーである。【選択図】  図１
2005038800.tif 000002
【特許請求の範囲】
【請求項１】
バッテリー本体にプラス端子が２つ、マイナス端子が２つあるバッテリー
【発明の詳細な説明】
【発明の詳細な説明】
【技術分野】
【０００１】  本発明は、バッテリーのプラス端子が２つ、マイナス端子も同様に２つ設けたバッテリーである。
【背景技術】
【０００２】  従来、自動車用バッテリーは同じ大きさのタイプでも、プラス端子とマイナス端子の位置の違い（Ｒ、Ｌ）により２種類製造しなければならず、販売店の在庫が多くなり、使用しなくても自己放電する為返品が多かった。
【発明が解決しようとする課題】
【０００３】  （Ｒ、Ｌ）を分けることなく、１個のバッテリーで互換性をもたせるようにする。
【課題を解決するための手段】
【０００４】  バッテリープラス端子に近い方へ平行してプラス端子を別に設けて、マイナス端子側も同様に設ける事によって互換性をもたせたバッテリーである。
【発明を実施するための最良の形態】
【０００５】  図１に示すように、左側には２のプラス端子を２つ設けて、右側には３のマイナス端子が２つ設けるようにする。【０００６】  図２の端子カバーは合成樹脂で形成されていて、使用しない時は端子に蓋をできるように加工する。
【発明の効果】
【０００７】  このようにすれば、バッテリーをＬ・Ｒと区別することがなくなり、販売店の在庫が半分になり、商品回転率が上がり返品が少なくなる。バッテリーのプラス電流を引き出しやすく、アーシングもやりやすい。
【図面の簡単な説明】
【図１】バッテリー全体図である
【図２】バッテリーの端子カバーである。
【図３】バッテリーに端子カバーを付けた上面図である。
【符号の説明】
１  バッテリー本体
２  プラス端子
３  マイナス端子
４  プラス端子カバー
５  マイナス端子カバー
【図１】
2005038800.tif 000003
【図２】
2005038800.tif 000004
【図３】
2005038800.tif 000005